(57)【特許請求の範囲】
【請求項１】
ＩＳＤＮのＢチャネルでのデータの送受信を行うためのＢチャネル制御手段と、ＩＳＤＮのＤチャネルに対しＤチャネル制御の要求処理およびＤチャネルの状態の通知を行うＤチャネル制御手段と、該Ｂチャネル制御手段およびＤチャネル制御手段に対しＡＴコマンドによる制御を行うことにより呼制御を行うＡＴコマンド制御手段と、接続される端末装置に対し該Ｂチャネル制御手段および該ＡＴコマンド制御手段とのインターフェース制御を行うインターフェース制御手段とを備えたＩＳＤＮ用端末アダプタ装置において、前記Ｄチャネル制御手段およびＡＴコマンド制御手段との間にコールバックに必要となる手順を処理するコールバック制御手段をさらに備え、
前記コールバック制御手段は、
コールバックの要求のある発信要求を受けた場合には、呼出側からの呼出開始通知を受けると呼の切断要求を行い、呼の切断完了の通知を受けると折り返しの呼の着信を待ち、折り返しの呼の着信後ただちに応答を要求し、Ｂチャネルの接続通知があると前記ＡＴコマンド制御手段に通知する動作を行い、コールバックを起動する呼の着信を受けた場合には、前記ＡＴコマンド制御手段からの着信の通知に対する呼出開始の要求を呼出開始の要求として送信し、切断通知を受けると折り返し呼の発信を要求し、Ｂチャネルの接続通知があると前記ＡＴコマンド制御手段に通知する動作を行い、さらに、コールバックを起動する呼の着信を受けた場合において、前記ＡＴコマンド制御手段からの着信の通知に対する呼出開始の要求を受けてから、Ｂチャネルの接続通知を該ＡＴコマンド制御手段に通知するまでの動作中は、該ＡＴコマンド制御手段からの応答要求の処理を行わない
ことを特徴とするＩＳＤＮ用端末アダプタ装置。
【発明の詳細な説明】
【０００１】
【発明の属する技術分野】
本発明は、ＩＳＤＮ（Integrated Services Digital Network）回線網を使用してデータ通信を行う端末装置間において、この端末装置およびＩＳＤＮ回線間に設けられ、特にコールバックに必要な手順を処理するＩＳＤＮ用端末アダプタ装置に関するものである。
【０００２】
【従来の技術】
近年、端末間でＩＳＤＮ回線網を使用してデータ通信を行うことが頻繁に行われるようになってきている。このとき、ＩＳＤＮ回線網に対して呼制御を行うためにＩＳＤＮ用端末アダプタ装置が必要になる。図１１は、ＩＳＤＮ端末アダプタ装置４を介してＩＳＤＮ回線網３に接続された２つの端末装置５間の接続状態を示す図である。このように、ＩＳＤＮ用端末アダプタ装置４は、ＩＳＤＮ用回線網３と端末装置５間に設けられて呼制御を行う。
なお、端末装置５間の接続は、通常の呼び出しにより行われるほか、先に着信した相手に対して折り返し発信をすることで接続をおこなうコールバックによる場合もある。
【０００３】
図１２は、ＩＳＤＮ用端末アダプタ装置の一従来例の構成を示した図である。なお、以下では「ＩＳＤＮ用端末アダプタ装置」のことを単に「端末アダプタ装置」と呼ぶものとする。
図１２において、端末アダプタ装置４は、ＩＳＤＮのＢチャネルでのデータの送受信を行うためのＢチャネル制御機能４２、ＩＳＤＮのＤチャネルに対しＤチャネル制御の要求処理およびＤチャネル状態の通知を行うＤチャネル制御機能４４と、このＢチャネル制御手段およびＤチャネル制御手段に対しＡＴコマンドによる制御を行うことにより呼制御を行うＡＴコマンド制御機能４３と、接続される端末装置５に対しＢチャネル制御機能４２およびＡＴコマンド制御機能４３とのインターフェース制御を行うインターフェース制御機能４１とを備えている。
一方、端末装置５は、先に着信した相手に対して折り返し発信をするためのコールバック制御機能５１が備えられている。
【０００４】
次に、図１３を用いて、図１２のように端末装置５内にコールバック制御機能５１が設けられ、端末装置５と端末アダプタ装置４との間でＡＴコマンドが使用された場合のコールバック全体のシーケンスを第１の手順例として説明する。
はじめに、コールバックを起動する側の端末アダプタ装置４の動作を簡単に説明する。
まず、端末アダプタ装置４は、”コールバックの要求”を示す発信要求のコマンド２０１を端末装置５より受信すると、呼制御メッセージに”コールバックの要求”を付加して発信２０２する。なお、このとき網が発信を受け付けたことを通知する呼制御メッセージ２０３をＩＳＤＮ回線網より受信する。
次に相手より”コールバックの受付”の付加された呼制御メッセージ２０４により切断される。なお、このとき、切断の完了を知らせる呼制御メッセージ２０５を送信する。
また、切断の完了において、切断完了のステータス２０６を端末装置へ送信する。
次に、折り返しの呼２０７が着信すると着信通知のステータス２０９を端末装置５へ送信するとともに、呼び出しの開始を通知する呼制御メッセージ２０８を発信する。
そして、端末装置より着信に対する応答の要求２１０を受信すると、接続を通知する呼制御メッセージ２１１を送信する。
Ｂチャネルの接続の完了２１２を確認すると、Ｂチャネルを通して同期パターン２１３を送信し、Ｂチャネルを通じて相手からの同期パターン２１３が確認された時点で、接続完了のステータス２１４を端末装置へ送信する。
以上のようにして、コールバックを起動する側での接続が完了すると、以下では端末装置５間でのデータの送受信２１５がＢチャネルにて行われる。
【０００５】
次に、コールバックを起動される側の端末アダプタ装置４の動作を簡単に説明する。
まず、”コールバックの要求”の付加された呼制御メッセージ２２１が着信すると、”コールバックの要求”を示し”コールバックを起動した側の番号”を含む着信通知のステータス２２２を端末装置５へ送信するとともに、呼制御メッセージ２２３に”コールバックの受付”を付加して切断する。この切断の完了において、切断完了のステータス２２４を端末装置へ送信する。
次に、”コールバックを起動した側の番号”を含む折り返しの呼の発信要求のコマンド２２５を端末装置５から受信すると、通常の呼制御メッセージ２２６による発信を行う。
そして、網が発信を受け付けたことを通知する呼制御メッセージ２２７および相手の呼出の開始を通知する呼制御メッセージ２２８を受信する。
そして、Ｂチャネルの接続が完了２２９すると、Ｂチャネルを通して同期パターン２１３を送信し、相手からの同期パターン２１３が確認された時点で、接続完了通知のステータス２３０を端末装置へ送信する。
以上のようにして、コールバックを起動される側での接続が完了し、以下では端末装置５間でのデータの送受信２１５が行われる。
【０００６】
以上は、図１２に示すように端末装置５がコールバック制御機能５１を備え、端末装置によりコールバックの制御が行われる場合を示すが、次に、端末装置によるコールバック制御が行われない時のシーケンス制御について第２の手順例として以下に簡単に示す。なお、説明において図１３を用いるが、手順が異なるため対応信号がない場合もある。
まず、コールバックを起動する側の端末アダプタ装置４の動作を説明する。
まず、”コールバックの要求”を示す発信要求のコマンド２０１を端末装置５より受信すると、呼制御メッセージ２０２に”コールバックの要求”を付加して発信する。ここまでは、前述の例と同じであるが、以下のシーケンスが異なってくる。
そして、一定時間経過後に呼制御メッセージにより切断する。なお、このとき切断の完了において切断完了のステータスを端末装置へ送信しない。
次に、折り返しの呼２０７が着信すると、着信通知のステータス２０９を端末装置へ送信することなしに、着信に対応する応答を通知する呼制御メッセージ２０８を送信する。
そして、Ｂチャネルの接続が完了２１２し、Ｂチャネルを通して同期パターン２１３を送信するとともに、相手からの同期パターン２１３が確認された時点で、接続完了の通知のステータス２１４を端末装置へ送信する。
【０００７】
一方、コールバックを起動される側の端末アダプタ装置の動作は、以下のようになる。
まず、”コールバックの要求”の付加された呼制御メッセージ２２１が着信すると、着信通知のステータス２２２を端末装置へ送信せずに、相手からの切断をまち、相手の呼制御メッセージにより切断される。ここで、切断完了のステータスを端末装置へ送信しない。
次に、コールバックを要求した相手に対して通常の呼制御メッセージ２２６により発信し、網が発信を受け付けたことを通知する呼制御メッセージ２２７を受信する。
Ｂチャネルの接続が完了２２９し、着信通知のステータスを端末装置５へ送信する。
端末装置５より着信に対する応答の要求を受信すると、Ｂチャネルを通して同期パターン２１３を送信し、相手からの同期パターン２１３が確認された時点で、接続完了のステータス２３０を端末装置へ送信する。
以上のようにして、接続が行われる。
【０００８】
【発明が解決しようとする課題】
しかし、上述の第１の手順では、”コールバック要求”を示し”コールバックを起動した側の番号”を含む着信通知のステータス２２２を端末装置５へ送信すために、標準的ではない手順をコールバック制御機能５１として端末装置５が実装しなければならない。さらにコールバックを起動した側への折り返しの発信２２５は、コールバックを起動された側の端末装置５が行わなければならず、コールバックを起動される側の端末装置５には特別な機能が必要となる。
また、第２の手順では、端末装置５に特別な機能を必要としないが、コールバックを起動する側は、相手がコールバックを受けたがどうか確認をせずに切断するので、相手がコールバックを受けたがどうか確認することができない。また、コールバックを起動された側では、Ｂチャネルの接続が完了するまでは、端末アダプタ装置４からのステータスが端末装置５に対して通知されないため、端末アダプタ装置４に影響を及ぼすコマンド、例えばリセットコマンド等が、端末装置５から要求される可能性がある。さらに、コールバックを起動された側では、Ｂチャネルの接続完了後に通知された着信通知のステータスに対する応答のコマンドを端末装置５が端末アダプタ装置４に対して送信するまでは、Ｂチャネルの接続完了からデータ送受信が可能となるまでの時間が無駄にかかり、コールバックを起動するする側で接続エラーが発生する可能性がある。
【０００９】
本発明はこのような事情に鑑みてなされたもので、
１）端末装置には、特別なコールバックのための機能を必要とせず、
２）たとえ、端末装置内に特別なコールバックのための機能が無くても、コールバックの呼制御において、例えば、端末アダプタ装置の動作に影響の及ぼすコマンドが入力された等があっても問題の生じることのない
端末アダプタ装置を提供することを目的とする。
【００１０】
【課題を解決するための手段】
上記目的を達成するために、本発明のうち請求項１に記載の発明は、ＩＳＤＮのＢチャネルでのデータの送受信を行うためのＢチャネル制御手段と、ＩＳＤＮのＤチャネルに対しＤチャネル制御の要求処理およびＤチャネルの状態の通知を行うＤチャネル制御手段と、該Ｂチャネル制御手段およびＤチャネル制御手段に対しＡＴコマンドによる制御を行うことにより呼制御を行うＡＴコマンド制御手段と、接続される端末装置に対し該Ｂチャネル制御手段および該ＡＴコマンド制御手段とのインターフェース制御を行うインターフェース制御手段とを備えたＩＳＤＮ用端末アダプタ装置において、前記Ｄチャネル制御手段およびＡＴコマンド制御手段との間にコールバックに必要となる手順を処理するコールバック制御手段をさらに備え、前記コールバック制御手段は、コールバックの要求のある発信要求を受けた場合には、呼出側からの呼出開始通知を受けると呼の切断要求を行い、呼の切断完了の通知を受けると折り返しの呼の着信を待ち、折り返しの呼の着信後ただちに応答を要求し、Ｂチャネルの接続通知があると前記ＡＴコマンド制御手段に通知する動作を行い、コールバックを起動する呼の着信を受けた場合には、前記ＡＴコマンド制御手段からの着信の通知に対する呼出開始の要求を呼出開始の要求として送信し、切断通知を受けると折り返し呼の発信を要求し、Ｂチャネルの接続通知があると前記ＡＴコマンド制御手段に通知する動作を行い、さらに、コールバックを起動する呼の着信を受けた場合において、前記ＡＴコマンド制御手段からの着信の通知に対する呼出開始の要求を受けてから、Ｂチャネルの接続通知を該ＡＴコマンド制御手段に通知するまでの動作中は、該ＡＴコマンド制御手段からの応答要求の処理を行わないことを特徴とする。
【００１３】
【発明の実施の形態】
以下、本発明の一実施形態による端末アダプタ装置を図面を参照して説明する。
図１は、本発明の一実施形態によるＩＳＤＮ用端末アダプタ装置の構成図である。なお、以下では「ＩＳＤＮ用端末アダプタ装置」のことを単に「端末アダプタ装置」と呼ぶものとする。
図１において、符号１は端末アダプタ装置を、符号２は端末装置を表している。なお、端末装置２内には、コールバックの制御を行うための機能は設けられていない。
【００１４】
一方、端末アダプタ装置１には、ＩＳＤＮのＢチャネルでのデータの送受信を行うためのＢチャネル制御機能１２と、ＩＳＤＮのＤチャネルとのインターフェースとなりＤチャネルに対する制御の要求処理およびＤチャネルの状態の通知を行うＤチャネル制御機能１４と、このＢチャネル制御機能１２およびＤチャネル制御機能１４に対しＡＴコマンドによる制御を行うことにより呼制御を行うＡＴコマンド制御機能１３と、接続される端末装置２対しＢチャネル制御機能１２およびＡＴコマンド制御機能１３とのインターフェースの制御を行うインターフェース制御機能１１を備えている。さらに、Ｄチャネル制御機能１４およびＡＴコマンド制御機能１３との間にコールバックに必要となる手順を実現するコールバック制御機能１５が備えられ、このコールバック制御機能１５により、端末装置２内にコールバック制御機能が無くても問題なくコールバック制御を可能としている。
なお、このシリアルインターフェース制御機能１１、Ｂチャネル制御機能１２、ＡＴコマンド制御機能１３、Ｄチャネル制御機能１４、コールバック制御機能１５は、専用のハードウェアにより実現されるものであっても、プログラムとして提供され端末アダプタ装置１内のＣＰＵ（中央演算装置：図示せず）により実行されることにより、その機能が実現されるものであってもよい。
【００１５】
次にこの端末アダプタ装置１の動作を図を用いて説明する。
なお、以下の説明において、コールバックを起動する側の端末アダプタ装置１および端末装置２を、それぞれ符号１ａ（端末アダプタ装置）、２ａ（端末装置）で表し、コールバックを起動される側の端末アダプタ装置１および端末装置２を、それぞれ符号１ｂ（端末アダプタ装置）、２ｂ（端末装置）で表す。
【００１６】
まずはじめに、コールバックを起動する側の端末アダプタ装置１ａの動作を図２に示すフローチャートおよび図４に示す端末装置２と端末アダプタ装置１との間の手順としてＡＴコマンドが使用された場合のコールバック全体のシーケンスを用いて説明する。
まず、端末アダプタ装置１ａが端末装置２ａから”コールバックの要求”を示す発信要求のコマンド１０１の受信により、以下の呼制御が開始する（ステップＳ１１）。
このコマンド１０１を受信すると、端末アダプタ装置１ａは、呼制御メッセージ１０２に”コールバックの要求”を付加して発信する（ステップＳ１２）。
ここで、ＩＳＤＮ回線網が発信の受け付けをすると、それを通知する呼制御メッセージ１０３が送られる。
【００１７】
そして、相手の着信に対する呼出の開始を通知する呼制御メッセージ１０４を受信すと、呼制御メッセージ１０５により切断を行う（ステップＳ１３）。これにより、相手がコールバックを受けたかどうか確認することができる。なお、これに対する呼制御メッセージ１０６をＩＳＤＮ回線網から受け、切断の完了を示す呼制御メッセージ１０７を送る。また、コールバックの制御を端末アダプタ装置１ａ側で行っていることから、切断の完了において切断完了のステータスを端末装置２ａへ送信しない。
次に、相手から折り返しの呼１０８が着信すると（ステップＳ１４）、着信通知のステータスを端末装置２ａへ送信することなしに、この着信により接続を通知する呼制御メッセージ１０９を送信する（ステップＳ１５）。
そして、Ｂチャネルの接続が完了１１０すると、Ｂチャネルを通して同期パターン１１１を送信する（ステップＳ１６）。
最後に、Ｂチャネルを通じて相手からの同期パターン１１１が確認された時点で、接続完了の通知のステータス１１２を送信する（ステップＳ１７）。
以上によりコールバック起動側の接続が完了する。
【００１８】
次に、コールバックを起動される側の端末アダプタ装置１ｂの動作を図３に示すフローチャートおよび図４に示すシーケンスを用いて説明する。
まず、”コールバックの要求”の付加された呼制御メッセージ１２１の着信により以下のように動作する（ステップＳ２１）。
この呼制御メッセージ１２１の着信があると、着信通知のステータス１２２を端末装置２ｂへ送信する（ステップＳ２２）。
また、端末装置２ｂに対する呼び出しの開始を通知する呼制御メッセージ１２３を送信する（ステップＳ２３）。
そして、相手からの切断要求を呼制御メッセージ１２５として受信すると、切断を行い、切断完了を通知する呼制御メッセージ１２６を送信する（ステップＳ２４）。なお、この切断の完了において切断完了のステータスを端末装置２ｂへ送信しない。さらに、コマンド１２４が端末装置２ｂから要求されても、Ｂチャネルの接続が完了するまで、端末アダプタ装置１ｂの動作に影響が及ばないように受け付けないものとする。
【００１９】
そして、コールバックを要求した相手に対して通常の呼制御メッセージ１２７を発信する（ステップＳ２５）。ここで、ＩＳＤＮ回線網が発信の受け付けをすると、それを通知する呼制御メッセージ１２８を受信する。
そして、Ｂチャネルの接続を示す呼制御メッセージ１２９により接続を確認すると、Ｂチャネルを通して同期パターン１１１を送信する（ステップＳ２６）。
最後に、Ｂチャネルを通じて相手からの同期パターン１１１が確認された時点で、接続完了の通知のステータス１３０を送信する（ステップＳ２７）。
以上によりコールバック起動側の接続が完了する。
これにより、コールバック起動側、被起動側における接続が完了し、以後Ｂチャネルを介して端末装置２ａ、２ｂ間でのデータの送受信が行われる。
【００２０】
次に、端末アダプタ装置１内のコールバック制御機能１５の動作を図面を用いてより詳細に説明する。
まずはじめに、コールバックを起動する側の端末アダプタ装置１ａ内のコールバック制御機能１５の動作を図５に示すフローチャートおよび図６に示すシーケンスを用いて詳細に説明する。なお、図６において、図４に対応する信号には、同一の符号を付している。
まず、ＡＴコマンド制御機能１３からのコールバックを起動する発信の要求１３１により、コールバックを要求する発信要求１３２をＤチャネル制御機能１４に対して行う（ステップＳ３１）。
次に、発信がＩＳＤＮ回線網により受け付けられると、その発信受付の通知１３３を受け、ＡＴコマンド制御機能１３へ発信受付の通知１３４を行う（ステップＳ３２）。
そして、呼出開始の通知１３５により、相手がコールバックを受け付け可能であると判断し、その呼の切断の要求１３６を行う（ステップＳ３３）。
【００２１】
そして、切断完了の通知１３７を受けると（ステップＳ３４）、折り返しの呼の着信１３８を待つべく、着信の通知１３８の有無の判断を行う（ステップＳ３５）。
折り返しの呼の着信の通知１３８があると、ただちに応答の要求１３９を行う（ステップＳ３６）。
そして、Ｂチャネル接続完了の通知１４０を受けると、この通知１４１をＡＴコマンド制御機能１３に対して行う（ステップＳ３７）。なお、この通知を受けたＡＴコマンド制御機能１３は、Ｂチャネル制御機能１２に対してＢチャネル起動の要求を行ない、これによりＢチャネルを通した同期パターンによるネゴシエーションが行われることになる。
以上が、コールバックを起動する側の端末アダプタ装置１ａ内のコールバック制御機能１５の動作である。
【００２２】
次に、コールバックを起動する側の端末アダプタ装置１ｂ内のコールバック制御機能１５の動作を図７に示すフローチャートおよび図８に示すシーケンス図を用いて詳細に説明する。なお、図８において、図４に対応する信号には、同一の符号を付している。
Ｄチャネル制御機能１４からコールバックを起動する呼の着信の通知１５１を受けると、ＡＴコマンド制御機能１３に、この着信の通知１５２を行う（ステップＳ４１）。
次にＡＴコマンド制御機能１３から呼出開始の要求１５３を受けたならば、その呼は受け付け可能なコールバックを起動する呼であると判断し、呼出開始を相手に通知するために、Ｄチャネル制御機能１４に呼出開始の要求１５４をし、切断の完了を待つ（ステップＳ４２）。
【００２３】
そして、Ｄチャネル制御機能１４から切断完了の通知１５６を受けると、折り返しの発信の要求１５７を行う（ステップＳ４３）。ここで、コールバック制御機能１５がコールバックの制御をすることから、この切断完了のステータスが端末装置２ｂに送られないようにするため、切断の通知をＡＴコマンド制御機能１３に対して行わない。
折り返しの呼がＩＳＤＮ回線網により受け付けられ、Ｄチャネル制御機能１４から発信受付の通知１５８を受けると（ステップＳ４４）、Ｂチャネル接続完了の通知１５９を待つべく、Ｄチャネル制御機能１４からのＢチャネル接続完了の通知１５９の有無を判断する（ステップＳ４５）。
Ｂチャネル接続完了の通知１５９を受けると、ＡＴコマンド制御機能１３にＢチャネル接続完了の通知１６０を行う（ステップＳ４６）。なお、この通知を受けたＡＴコマンド制御機能１３は、Ｂチャネル制御機能１２に対してＢチャネル起動の要求を行ない、これによりＢチャネルを通した同期パターンによるネゴシエーションが行われることになる。
なお、コールバック制御機能１５は、ステップＳ４２からステップＳ４６を実施している間に、ＡＴコマンド機能１２４から端末装置２ｂによる応答の要求が送られてきても、端末アダプタ装置１ｂの動作に影響が及ばないように受け付けないものとする。
以上が、コールバックを起動される側の端末アダプタ装置１ｂ内のコールバック制御機能１５の動作である。
【００２４】
図９および図１０は、通常の発信側および着信側の端末アダプタ装置１内におけるシーケンスを示す図である。図６のコールバックを起動する側の端末アダプタ装置１ａ内におけるシーケンスと、図９の通常の発信側の端末アダプタ装置１ａ内におけるシーケンスとを比較すると、これらの処理の間におけるＡＴコマンド制御機能１３の動作は、コールバックを起動する際に、”コールバックの要求”が発信の要求１３１としてある以外は全く同じである。
また図８のコールバックを起動される側の端末アダプタ装置１ｂ内におけるシーケンスと、図１０の通常の発信側の端末アダプタ装置１ｂ内におけるシーケンスとを比較すると、これらの処理の間におけるＡＴコマンド制御機能１３の動作は、全く同じである。
これより、コールバック制御機能１５がコールバックのための制御を他に影響が生じないように担っていることが分かる。
【００２５】
このように、端末アダプタ装置１内にコールバック制御機能１５を設けることにより、コールバックを行うための複雑な手順は端末装置２に対して通知されることなく行われるため、端末装置２にとっては、コールバックの有無にかかわらず同一の動作により接続を行うことが可能となる。
また、コールバックを起動する側の端末アダプタ装置１ａは、図４において、呼出開始の通知１０４により、相手がコールバックを受付可能であると判断し、接続することなくその呼の切断１０４を行い、相手からの折り返しの呼の着信１０８を待って接続を開始するので、通常の接続時と課金される側が入れ替わるだけで、一切無駄な課金が発生しない。
【００２６】
【発明の効果】
以上説明したように、本発明によるＩＳＤＮ用端末アダプタ装置によれば、下記の効果を得ることができる。
請求項１に記載の発明によれば、ＩＳＤＮ用端末アダプタ装置が、コールバックに必要となる手順を処理するコールバック制御手段をさらに備えている。これにより、コールバックを行うための複雑な手順は端末装置に対して通知されることなく行われ、接続される端末装置にとっては、コールバックの有無にかかわらず同一の動作により接続を行うことが可能となる。
【００２７】
また、請求項１に記載の発明によれば、コールバック制御手段が、コールバックの要求のある発信要求を受けた場合には、呼出側からの呼出開始通知を受けると呼の切断要求を行い、呼の切断完了の通知を受けると折り返しの呼の着信を待ち、折り返しの呼の着信後ただちに応答を要求し、Ｂチャネルの接続通知があると前記ＡＴコマンド制御手段に通知する動作を行を行う。一方、コールバックを起動する呼の着信を受けた場合には、前記ＡＴコマンド制御手段からの着信の通知に対する呼出開始の要求を呼出開始の要求として送信し、切断通知を受けると折り返し呼の発信を要求し、Ｂチャネルの接続通知があると前記ＡＴコマンド制御手段に通知する動作を行う。このように、コールバック制御手段が動作することによりコールバックを行うための複雑な手順は端末装置に対して通知されることなく行われ、結果として、端末装置はコールバックの有無にかかわらず同一の動作により接続を行うことが可能となる。
【００２８】
また、請求項１に記載の発明によれば、コールバック制御手段は、コールバックを起動する呼の着信を受けた場合において、ＡＴコマンド制御手段からの呼出開始の要求受けてから、Ｂチャネルの接続通知をＡＴコマンド制御手段に通知するまでの動作中は、ＡＴコマンド制御手段からの応答要求の処理を行わない。これにより、コールバックのための処理を行っている間で、ＩＳＤＮ用端末アダプタ装置の動作に影響が及ぶことがなくなる。
【図面の簡単な説明】
【図１】  本発明の一実施形態によるＩＳＤＮ用端末アダプタ装置の構成図である。
【図２】  コールバックを起動する側の端末アダプタ装置の動作を示すフローチャートである。
【図３】  コールバックを起動される側の端末アダプタ装置の動作を示すフローチャートである。
【図４】  端末装置と端末アダプタ装置との間の手順としてＡＴコマンドが使用された場合のコールバック全体のシーケンスを示す図である。
【図５】  コールバックを起動する側におけるコールバック制御機能の動作を示すフローチャートである。
【図６】  コールバックを起動する側の端末アダプタ装置内におけるシーケンスを示す図である。
【図７】  コールバックを起動される側におけるコールバック制御機能の動作を示すフローチャートである。
【図８】  コールバックを起動される側の端末アダプタ装置内におけるシーケンスを示す図である。
【図９】  通常の発信側の端末アダプタ装置内におけるシーケンスを示す図である。
【図１０】  通常の着信側の端末アダプタ装置内におけるシーケンスを示す図である。
【図１１】  ＩＳＤＮ端末アダプタ装置を介してＩＳＤＮ回線に接続された２端末間の接続状態を示す図である。
【図１２】  ＩＳＤＮ用端末アダプタ装置の一従来例の構成図である。
【図１３】  端末装置と端末アダプタ装置との間の手順としてＡＴコマンドが使用された場合のコールバック全体のシーケンスの一従来例を示す図である。
【符号の説明】
１  （ＩＳＤＮ用）端末アダプタ装置
２  端末装置
１１  シリアルインターフェース制御機能
１２  Ｂチャネル制御機能
１３  ＡＴコマンド制御機能
１４  Ｄチャネル制御機能
１５  コールバック制御機能
【図１】
0003911786.tif 000002
【図２】
0003911786.tif 000003
【図３】
0003911786.tif 000004
【図４】
0003911786.tif 000005
【図５】
0003911786.tif 000006
【図６】
0003911786.tif 000007
【図７】
0003911786.tif 000008
【図８】
0003911786.tif 000009
【図９】
0003911786.tif 000010
【図１０】
0003911786.tif 000011
【図１１】
0003911786.tif 000012
【図１２】
0003911786.tif 000013
【図１３】
0003911786.tif 000014